(57)【要約】【課題】樹脂製キャップを使用することなく、直管ランプの口金を大きな荷重から保護できるようにし、包装作業も容易に行えるようにする。【解決手段】直管ランプが挿入される四角筒状の周壁１を、その各面となる側板２を連設して形成した包装箱において、周壁１の端部に、一面の側板２の端辺を底辺として延出した三角形状の内端板３と、内端板３の底辺に対し傾斜する二辺から順次延出した斜支板４及び抑止片５と、他面の側板２の端辺から延出した外端板８とを備え、斜支板４及び抑止片５を、順次山折り及び谷折りして、内端板３を、対向する側板２の方向へ折り曲げ、周壁１の内面及び抑止片５で反発が抑制された両斜支板４を、合掌状態で対向する側板２の間に内在させると共に、直管ランプの口金の突出部分を、内端板３と両斜支板４とで形成される空間の内側に収容して、外端板８を閉じるようにする。【選択図】図６
2014104991.tif 000002
【特許請求の範囲】
【請求項１】
直管ランプが挿入される四角筒状の周壁(1)を、その各面となる側板(2)を連設して形成した包装箱において、周壁(1)の端部に、一面の側板(2)の端辺を底辺として延出した三角形状の内端板(3)と、内端板(3)の底辺に対し傾斜する二辺から順次延出した斜支板(4)及び抑止片(5)と、他面の側板(2)の端辺から延出した外端板(8)とを備え、斜支板(4)及び抑止片(5)を、順次山折り及び谷折りして、内端板(3)を、対向する側板(2)の方向へ折り曲げ、周壁(1)の内面及び抑止片(5)で反発が抑制された両斜支板(4)を、合掌状態で対向する側板(2)の間に内在させると共に、直管ランプの口金の突出部分を、内端板(3)と両斜支板(4)とで形成される空間の内側に収容して、外端板(8)を閉じるようにしたことを特徴とする直管ランプの包装箱。
【請求項２】
請求項１に記載の直管ランプの包装箱において、直管ランプの長さ方向に二分割して、２つの半箱体(21,22)を連結する構成とし、一方の半箱体(21)には、他方の半箱体(22)との連結部となる端縁から周壁(1)の稜部にスリット(23)を入れ、両半箱体(21,22)の連結に際し、一方の半箱体(21)の周壁(1)をなす側板(2)が内側に撓んで、他方の半箱体(22)の周壁(1)に挿入されるようにしたことを特徴とする直管ランプの包装箱。
【発明の詳細な説明】
【技術分野】
【０００１】
この発明は、直管ランプの口金部分を保護して包装できる包装箱に関するものである。
【背景技術】
【０００２】
一般に、直管ランプである蛍光灯の包装には、段ボールを折り曲げた四角筒状の包装材が使用されている。また、コンパクト型蛍光灯の包装箱として、下記特許文献１に記載されたようなものが知られている。
【０００３】
この包装箱は、図１１に示すように、コンパクト型蛍光灯６１が挿入される四角筒状の周壁５１を、その各面となる側板５２を連設して形成し、対向する二面の側板５２の上端辺を一方の等辺として、二等辺三角形状の内端板５３を延出し、その等辺に対し傾斜する内端板５３の一辺に保持片５４を連設し、他の側板５２の上端辺に外端板５５及び差込片５６を順次連設したものとされている。
【０００４】
上記包装箱で蛍光灯６１を包装する際には、蛍光灯６１を周壁５１の内部に挿入し、一対の内端板５３を、対向する側板５２の方向へ折り曲げると共に、保持片５４を下方へ山折りして、一対の保持片５４の間に口金６２の突出部を挟み込み、外端板５５を閉じ、差込片５６を箱内に差し込んで封緘する。
【０００５】
また、近年、商業ビルや公共施設等の照明用ランプとして、蛍光灯に代えて、省電力で長寿命の直管ＬＥＤランプが普及し始めている。
【０００６】
このような直管ＬＥＤランプは、長大で重量があり、価格も相当高価であるため、口金には樹脂製キャップを装着した上で、四角筒状の段ボール製包装材に挿入し、横倒し状態での積上荷重や衝撃から保護している。
【先行技術文献】
【特許文献】
【０００７】
【特許文献１】実開昭６３−１５４４２５号公報
【発明の概要】
【発明が解決しようとする課題】
【０００８】
ところで、直管ＬＥＤランプの包装に際し、段ボール製の包装材だけでなく、樹脂製のキャップを使用すると、包装コストが高くつくため、特許文献１に記載されたような端部構造の包装箱を使用し、口金の保護を図ることが考えられる。
【０００９】
しかしながら、この包装箱では、横倒し状態で積み上げると、保持片５４が支柱として機能しないことから、周壁５１の端部が変形して、口金に大きな荷重が作用し、口金が破損するおそれがある。
【００１０】
また、１１０Ｗ型蛍光灯に相当する直管ＬＥＤランプは、長さが約２５００ｍｍあり、これを周壁の端面から挿入しようとすると、５ｍ以上の作業スペースが必要となることから、作業場所の確保が難しく、作業にも慎重を要するという問題もある。
【００１１】
そこで、この発明は、樹脂製キャップを使用することなく、直管ＬＥＤランプ等の口金を大きな荷重から保護でき、包装作業も容易に行うことができる包装箱を提供しようとするものである。
【課題を解決するための手段】
【００１２】
上記課題を解決するため、この発明は、直管ランプが挿入される四角筒状の周壁を、その各面となる側板を連設して形成した包装箱において、周壁の端部に、一面の側板の端辺を底辺として延出した三角形状の内端板と、内端板の底辺に対し傾斜する二辺から順次延出した斜支板及び抑止片と、他面の側板の端辺から延出した外端板とを備え、斜支板及び抑止片を、順次山折り及び谷折りして、内端板を、対向する側板の方向へ折り曲げ、周壁の内面及び抑止片で反発が抑制された両斜支板を、合掌状態で対向する側板の間に内在させると共に、直管ランプの口金の突出部分を、内端板と両斜支板とで形成される空間の内側に収容して、外端板を閉じるようにしたのである。
【００１３】
また、前記包装箱を、直管ランプの長さ方向に二分割して、２つの半箱体を連結する構成とし、一方の半箱体には、他方の半箱体との連結部となる端縁から周壁の稜部にスリットを入れ、両半箱体の連結に際し、一方の半箱体の周壁をなす側板が内側に撓んで、他方の半箱体の周壁に挿入されるようにしたのである。
【発明の効果】
【００１４】
この発明に係る直管ランプの包装箱では、三角形状の内端板から延びる両斜支板が周壁の内面及び抑止片により拡がることなく抑えられ、周壁の端部内でトラス状の構造をなす支柱として機能し、周壁の端部の外周方向からの耐圧強度が強化されるので、内端板と両斜支板とで形成される空間内に収容した口金の突出部分は、横倒し状態での積上荷重や衝撃から確実に保護される。
【００１５】
また、直管ランプの長さ方向に二分割した一方の半箱体の周壁稜部にスリットを入れると、その部分の側板を内側へ撓ませつつ、スムーズに他方の半箱体の周壁に挿入して、半箱体同士を連結することができ、直管ランプが非常に長いものであっても、広い作業スペースを要することなく、容易に包装作業を行うことができる。
【図面の簡単な説明】
【００１６】
【図１】この発明に係る包装箱による直管ＬＥＤランプの包装状態を示す斜視図
【図２】同上の包装過程を示す半箱体の分割斜視図
【図３】同上の各半箱体のブランクを示す図
【図４】同上の端部拡大図
【図５】同上の包装過程を示す端部拡大斜視図
【図６】同上の包装過程を示す端部拡大斜視図
【図７】同上の包装状態を示す端部拡大斜視図
【図８】図７のVIII−VIII線に沿った切断端面図
【図９】同上の半箱体の連結過程を示す部分拡大斜視図
【図１０】同上の連結状態を示す部分拡大斜視図
【図１１】従来のコンパクト型蛍光灯の包装箱を示す斜視図
【発明を実施するための形態】
【００１７】
以下、この発明の実施形態を添付図面に基づいて説明する。
【００１８】
この包装箱は、図１に示すように、１１０Ｗ型蛍光灯に相当する直管ＬＥＤランプ３１を包装する段ボール箱であり、図２に示すように、直管ＬＥＤランプ３１の長さ方向に二分割されて、外周寸法が等しい２つの半箱体２１，２２を連結する構成とされている。
【００１９】
直管ＬＥＤランプ３１は、ＪＥＬ８０１規格に準拠したものであり、両端部に口金３２を有し、一端側の口金３２からは、１本の接地ピンが突出し、他端側の口金３２からは、２本の給電ピンが突出している。
【００２０】
上記半箱体２１，２２は、図３及び図４に示すようなブランクから形成される。半箱体２１，２２のブランクでは、四角筒状の周壁１の各面となる側板２が長辺の折目線を介して５列ずつ連設されている。各ブランクが５列の側板２を有するのは、組立時に周壁１の一面で端列の側板２同士を重ね合わせるためである。
【００２１】
各ブランクの組立時に重なり合う側板２のうち、一方の側板２は、他の側板２より短くなっており、その一端が半箱体２１，２２の連結時のストッパ縁２ａとされている。
【００２２】
包装箱の両端部となる各ブランクの端部において、組立時に重なり合う側板２のうち、内側となる側板２の端辺には、その端辺を底辺とする二等辺三角形状の内端板３が連設され、内端板３の底辺に対し傾斜する二辺には、斜支板４及び抑止片５が順次連設されている。内端板３と斜支板４の境界及び斜支板４と抑止片５の境界の罫線は、折曲抵抗を軽減するため、切目を断続的に入れたリード罫とされている。
【００２３】
また、組立時に重なり合う側板２のうち、外側となる側板２の端辺には、基部の一側が斜めに切断された中端板６が連設され、これに隣り合う側板２の端辺には、台形状の中端板７が連設されている。
【００２４】
さらに、内端板３が繋がる側板２に対して組立時に対向する側板２の端辺には、正方形状の外端板８が連設され、外端板８の一側に封止片９が連設されている。
【００２５】
各ブランクの一方の端列の側板２には、差込片１０が突設され、他方の端列の側板２には、これに隣り合う側板２との稜部に沿って、コ字状の切込による差込穴１１が設けられている。各ブランクの側板２同士の稜部には、折曲抵抗を軽減するため、弧状の切目１２が入れられている。
【００２６】
半箱体２１のブランクには、半箱体２２と連結される周壁１の稜部に、スリット２３となる切込が形成され、差込穴１１と同じ稜部に、コ字状の切込による差込穴２４が設けられている。そして、この端部側の側板２の角部は、斜めに切断されている。また、半箱体２２のブランクには、連結側となる端部に連結ロック片２５が設けられている。
【００２７】
上記のようなブランクを図１に示す形状に組み立てて、直管ＬＥＤランプ３１を包装するには、図２に示すように、半箱体２１，２２の側板２を巻き込むように折り曲げ、端列の側板２同士を重ね合わせて、四角筒状の周壁１を形成し、差込片１０を差込穴１１に差し込んで、周壁１を保形する。
【００２８】
次に、包装箱の一端となる半箱体２１の端部を閉じて、直管ＬＥＤランプ３１を接地側の口金３２からその周壁１に挿入し、続いて、直管ＬＥＤランプ３１を給電側の口金３２から半箱体２２の周壁１に挿入し、半箱体２１，２２を連結して、包装箱の他端となる半箱体２２の端部を閉じる。
【００２９】
この際、包装箱の両端となる半箱体２１，２２の各端部を閉じるには、まず、図５に示すように、内端板３から斜支板４を、段ボールの表面側が凸状となるように山折りし、斜支板４から抑止片５を、段ボールの表面側が凹状となるように谷折りする。
【００３０】
次に、図６に示すように、内端板３を、対向する側板２の方向へ折り曲げると、抑止片５が口金３２の端面に当接し、周壁１の内面及び抑止片５で両斜支板４の反発が抑制されて、両斜支板４が合掌状態で対向する側板２の間に内在した状態となる。
【００３１】
これにより、直管ＬＥＤランプ３１の口金３２の突出部分は、内端板３と両斜支板４とで形成される空間の内側に収容されるので、その状態で、図７及び図８に示すように、中端板６，７を折り曲げ、外端板８を閉じ、封止片９を箱内に差し込んで封緘する。なお、図５乃至図８は、半箱体２２の端部について図示している。
【００３２】
そして、このように包装箱の両端部を閉じると、両斜支板４は、周壁１の端部内でトラス状の構造をなす支柱として機能し、周壁１の端部の外周方向からの耐圧強度が強化されるので、内端板３と両斜支板４とで形成される空間内に収容した口金３２の突出部分は、横倒し状態での積上荷重や衝撃から確実に保護される。
【００３３】
また、周壁１が平行四辺形状となるような変形も阻止されるので、封止片９の抜け出しが防止され、テープ貼りによる封緘も不要となる。
【００３４】
一方、半箱体２１，２２を連結するには、図９及び図１０に示すように、半箱体２１のスリット２３及び差込穴２４を有する端部の側板２を、半箱体２２の連結ロック片２５を有する端部の周壁１の内部に挿入する。
【００３５】
このとき、半箱体２１の側板２は、角部が斜めに切断されているので、半箱体２２の周壁１の内部へ誘導され、また、周壁１の稜部にスリット２３が入れられていることから、周壁１の外周径が小さくなるように、側板２を内側へ撓ませることができ、スムーズに半箱体２２の周壁１に挿入することができる。
【００３６】
そして、半箱体２１，２２のストッパ縁２ａ同士が当接することにより、半箱体２１の半箱体２２への挿入が規制され、包装箱は、直管ＬＥＤランプ３１の長さに対応した所定の寸法となり、差込穴２４に連結ロック片２５を差し込むことにより、半箱体２１，２２は、連結状態で固定される。
【００３７】
このような連結構造とすると、半箱体２１の半箱体２２への挿入部分により、包装箱の曲げ剛性が確保され、ストッパ縁２ａを有する一面でのみ側板２が二重となり、周壁１の他の面では側板２が一重となっていることから、段ボールのごわつき感が抑制される。
【００３８】
また、包装箱を直管ＬＥＤランプ３１の長さ方向に二分割したことから、直管ＬＥＤランプ３１が非常に長いものであっても、広い作業スペースを要することなく、容易に包装作業を行うことができる。
【００３９】
そのほか、段ボールの抜型をコンパクト化することができるため、包装箱の製造コストを抑制でき、直管ＬＥＤランプを製造するメーカーへの輸送コスト等も抑制できる。
【００４０】
なお、上記実施形態では、１１０Ｗ型蛍光灯に相当する長い直管ＬＥＤランプ３１を包装するものについて例示したことから、直管ＬＥＤランプ３１の長さ方向に二分割した構成としているが、２０Ｗ型や４０Ｗ型蛍光灯に相当する短い直管ＬＥＤランプを包装する場合には、二分割した構成とする必要はない。
【００４１】
また、直管ＬＥＤランプを包装する場合について例示したが、上記のような包装箱は、従来の直管型蛍光灯の包装にも使用することができる。
【００４２】
また、包装箱の両端部に、口金を保護する緩衝固定構造を有するものを例示したが、一方の端部にのみ口金を有するコンパクト型蛍光灯等の包装に使用する場合には、包装箱の一方の端部にのみ緩衝固定構造を有するものとしてもよい。
【符号の説明】
【００４３】
１  周壁
２  側板
２ａ  ストッパ縁
３  内端板
４  斜支板
５  抑止片
６，７  中端板
８  外端板
９  封止片
１０  差込片
１１  差込穴
１２  切目
２１，２２  半箱体
２３  スリット
２４  差込穴
２５  連結ロック片
３１  直管ＬＥＤランプ
３２  口金
【図１】
2014104991.tif 000003
【図２】
2014104991.tif 000004
【図３】
2014104991.tif 000005
【図４】
2014104991.tif 000006
【図５】
2014104991.tif 000007
【図６】
2014104991.tif 000008
【図７】
2014104991.tif 000009
【図８】
2014104991.tif 000010
【図９】
2014104991.tif 000011
【図１０】
2014104991.tif 000012
【図１１】
2014104991.tif 000013